(57)【特許請求の範囲】
【請求項１】
シンクキャビネット内に設けられ浄水ユニットを有する給湯ユニットと、シンクキャビネット上に設けた少なくとも水栓支柱部と水栓カバーを備えた浄水給湯栓ユニットとを有し、前記浄水ユニットからの浄水を吐出する浄水口に連接する浄水配管と、前記給湯ユニットにおいて加熱された浄水を吐出する出湯口に連接する給湯配管を前記浄水給湯栓ユニット内に設け、かつ前記浄水配管と前記給湯配管はフランジ部を有し、このフランジ部を浄水給湯栓ユニット内で挟持固定した給湯装置。
【請求項２】
水栓カバー内に連結管を設け、この連結管の一端を浄水配管及び給湯配管に接続し、他端をそれぞれ浄水口及び出湯口に連通させるとともに、この連結管と水栓支柱部間でフランジ部を挟持固定した請求項１に記載の給湯装置。
【請求項３】
浄水口又は出湯口は、連結管に対して回動可能なパイプを介して連絡された請求項２に記載の給湯装置。
【請求項４】
水栓カバーとこれに嵌合する操作パネルの嵌合部に、連続した弾性部材を挟持した請求項１に記載の給湯装置。
【請求項５】
水栓カバーに設けた嵌合溝に弾性部材を装着し、この弾性部材を操作パネルに設けた嵌合溝の幅よりも狭いリブで挟持した請求項４に記載の給湯装置。
【請求項６】
連結管は、各ユニットを結線するためのリード線に取りけられたコネクターを通す孔を有するとともに、リード線貫通後の隙間を覆う覆い部材を別に設けた請求項２に記載の給湯装置。
【請求項７】
浄水給湯栓ユニット内にはリード線を巻き付けて固定する部材を有する請求項６に記載の給湯装置。
【請求項８】
リード線を巻き付けて固定する部材を覆い部材に設けた請求項６または７に記載の給湯装置。
【発明の詳細な説明】
【０００１】
【発明の属する技術分野】
本発明はシンクキャビネット内に設置し、水道水を浄化した水及び湯を供給する給湯装置に関するものである。
【０００２】
【従来の技術】
図１０はキッチンシステムへ取付け可能なビルトイン型の給水装置の従来技術を示す。図において、１０１は水道管で、止水栓１０３を介して、一方は水道栓１０４に直結しており、他方は分岐管１０２につながっている。分岐管１０２には浄水のための活性炭や中空糸膜を用いたフィルタが連結されており、この部分で、水道水中の雑菌やカルキ臭を除去する。１０６は浄水用水栓１０７に設けられた操作部であり、ボタンを押すことにより、前記浄水用水栓１０７の吐出口１０８からの出水・止水が自在になっている。１０９は前記浄水用水栓１０７の下部に設けられた前記分岐管１０２と吐出口１０８の接続を行う連結部である。
【０００３】
【発明が解決しようとする課題】
前記従来の構成では、分岐管１０２と吐出口１０８の接続を行う連結部１０９は、確実な密閉性と、シンクキャビネット施工時に、耐えうる堅牢性が必要であるため、非常に大きなものになってしまっていた。
【０００４】
本発明は、前記従来の課題を解決するものであり、配管の接続部の確実な密閉性と取付け時の強度を維持しかつコンパクトで容易に組み立て可能な給湯装置を提供することを目的としている。
【０００５】
【課題を解決するための手段】
前記目的を達成するために、本発明の給湯装置は、浄水ユニットからの浄水を吐出する浄水口に連接する浄水配管と、給湯ユニットにおいて加熱された浄水を吐出する出湯口に連接する給湯配管を浄水給湯栓ユニット内に設け、かつ前記浄水配管と前記給湯配管はフランジ部を有し、このフランジ部を浄水給湯栓ユニット内で挟持固定したものである。
【０００６】
これにより、配管の接続部の確実な密閉性と取付け時の強度を維持しかつコンパクトで容易に組み立て可能となるものである。
【０００７】
【発明の実施の形態】
請求項１に記載の発明は、シンクキャビネット内に設けられ浄水ユニットを有する給湯ユニットと、シンクキャビネット上に設けた少なくとも水栓支柱部と水栓カバーを備えた浄水給湯栓ユニットとを有し、前記浄水ユニットからの浄水を吐出する浄水口に連接する浄水配管と、前記給湯ユニットにおいて加熱された浄水を吐出する出湯口に連接する給湯配管を前記浄水給湯栓ユニット内に設け、かつ前記浄水配管と前記給湯配管はフランジ部を有し、このフランジ部を浄水給湯栓ユニット内で挟持固定した給湯装置とすることにより、配管の接続部の確実な密閉性と取付け時の強度を維持しかつコンパクトで容易に組み立て可能となるものである。
【０００８】
請求項２に記載の発明は、水栓カバー内に連結管を設け、この連結管の一端を浄水配管及び給湯配管に接続し、他端をそれぞれ浄水口及び出湯口に連通させるとともに、この連結管と水栓支柱部間でフランジ部を挟持固定した請求項１に記載の給湯装置とすることにより、浄水配管及び給湯配管を浄水給湯栓ユニット内で確実に接続することが可能となる。
【０００９】
請求項３に記載の発明は、浄水口又は出湯口は、連結管に対して回動可能なパイプを介して連絡された請求項２に記載の給湯装置とすることにより、浄水又は出湯を任意位置に選択することが可能となり使い勝手を向上させることができる。
【００１０】
請求項４に記載の発明は、水栓カバーとこれに嵌合する操作パネルの嵌合部に、連続した弾性部材を挟持した請求項１に記載の給湯装置とすることにより、浄水給湯栓ユニット内に水が進入することを防止することができる。
【００１１】
請求項５に記載の発明は、水栓カバーに設けた嵌合溝に弾性部材を装着し、この弾性部材を操作パネルに設けた嵌合溝の幅よりも狭いリブで挟持した請求項４に記載の給湯装置とすることにより、弾性部材による反発力による水栓カバーと操作パネルの隙間を低減させ、見栄えを向上させることができる。
【００１２】
請求項６に記載の発明は、連結管は、各ユニットを結線するためのリード線に取りけられたコネクターを通す孔を有するとともに、リード線貫通後の隙間を覆う覆い部材を別に設けた請求項２に記載の給湯装置とすることにより、リード線の引き回しが容易であり、しかも、シンクキャビネット内より進入するゴキブリ等の害虫の進入を防止することができる。
【００１３】
請求項７に記載の発明は、浄水給湯栓ユニット内にはリード線を巻き付けて固定する部材を有する請求項６に記載の給湯装置とすることにより、リード栓が引っ張られても結線部に負荷をかかることが防止できる。
【００１４】
請求項８に記載の発明は、リード線を巻き付けて固定する部材を覆い部材に設けた請求項６または７に記載の給湯装置とすることにより、簡素な構成とすることができ浄水給湯栓ユニットのコンパクト化を図ることができる。
【００１５】
【実施例】
以下本発明の実施例について、図面を参照しながら説明する。
【００１６】
図１において、シンクキャビネット１に設置されている給湯装置６４は、シンクキャビネット１内に収納された給湯ユニット２と、シンクキャビネット１上面に設けられた浄水給湯栓ユニット３から構成されている。前記給湯ユニット２は浄水手段である浄水ユニット４と湯沸かしユニット５から構成している。また前記湯沸かしユニット５は、外郭を形成する本体６、水を貯える貯水容器７、水を加熱するヒーター８及び前記ヒーター８への通電や浄水されたお湯または水を外部に吐出するための動作を制御するための制御装置１０、水量を検知する水位センサー９などより構成されている。
【００１７】
ここで、水道管１１より分岐して設けた給水弁１２を開にすることにより、導入した水道水は、原水経路１３を通り、水道水を浄化する浄水手段である浄水ユニット４に至る。浄水ユニット４によって浄化した水は、湯沸かしユニット５の本体６内に導入され、給水経路１４を通り貯水容器７の上方に開口した給水口１５より吐水され、貯水容器７に貯水される。貯水された水はヒーター８によって加熱され熱湯になる。
【００１８】
給水口１５と浄水ユニット４とを結ぶ水路上には切替弁１６を設けており、この切替弁１６の切り替えにより、浄化した水を貯水容器７が内包された本体６の外部に設けた浄水口１７から吐出させることができる。また切替弁１６は、常時は原水経路１３と浄水口１７側を接続させており、貯水容器７の水位が設定された位置になると自動的に浄水口１７側から給水経路１４に水路を切り替え、その後、給水弁１２を開にすることにより水道水を貯水容器７に供給する様に設定されている。貯水容器７の水位が所定の位置になると、給水弁１２は閉となり、その後、切替弁１６は再び給水経路１４側から浄水口１７に切り替わり原水経路１３と浄水口１７側を接続した状態になる。
【００１９】
一方、貯水容器７の底面近傍に貯水容器７内の湯を取り出す取水口１８を設け、取水口１８から取り出した湯をポンプ１９によって本体６の外部の出湯口２０から吐出させることができる。浄水口１７と出湯口２０は共にシンクキャビネット１上面に設置したシンク２１に対応して設置した浄水給湯栓ユニット３に設けられている。また出湯口２０はシンク２１に向けて開口しており、出湯された湯は必ずシンク２１の内側へ入るようになっている。
【００２０】
また、２２は貯水容器７で発生する蒸気を逃がすための蒸気口である。なお、２３は浄水した水が通る浄水配管であり、２４はお湯が通る給湯配管であり、２５は蒸気が通る蒸気管である。２６はシンクキャビネット１上面に固定された取付台であり、浄水給湯栓ユニット３はこの取付台２６に止めネジ２８により固定される。
【００２１】
また、浄水配管２３、給湯配管２４及び蒸気配管２５は取付台２６に設けられた開口部２７を貫通し、浄水給湯栓ユニット３内で接続されている。なお、６７は水道水を吐出させる一般水栓であり、６８は排水管である。
【００２２】
図２、図３は浄水給湯栓ユニット３の詳細を示したものであり、水栓支柱部２９の内部に、前記浄水配管２３、給湯配管２４、蒸気配管２５、及び前記制御装置１０に結線するためのリード線５５を収納している。水栓支柱部２９において、前記浄水配管２３、給湯配管２４は連結管３０を介してそれぞれ浄水口１７及び出湯口２０に連通させている。なお、本実施例では連結管３０に対して回動可能なパイプ４７は、浄水口１７に連通させ、シンク２１内で回動させ浄水を吐出する位置を選択することが可能としているが、出湯口２０に連通させるようにしてもよい。
【００２３】
更に詳述すると、前記浄水配管２３、給湯配管２４の各々の端部には、Ｏリング３８ａ、３８ｂを有し、これを連結管３０に連通させ、水栓カバー３１を介して複数のネジ３５により固定されている。このとき、図３に示すように、Ｏリング３８ａ、３８ｂを取り付けるための接続部３９ａ、３９ｂの連結管３０に嵌合しない部分に止め輪４１を装着していることにより、図４に示すフランジ部３７ａ、３７ｂを形成している。このフランジ部３７ａ、３７ｂは、水栓支柱部２９に設けた孔部３６よりも大きな外形であり、水栓カバー３１の固定時に水栓支柱部２９と連結管３０により挟持されている。なお、水栓カバー３１に設けた出湯口２０と蒸気口２２の開口孔は、図２に示すようにシールパッキン６９により密閉している。
【００２４】
図５は水栓カバー３１の上面開口部を覆う操作パネル３４の嵌合部における状態を示すものである。水栓カバー３１の上側には、連続した嵌合溝３２を設け、これに断面が中空の連続した弾性部材３３を装着し、さらに前記弾性部材３３を操作パネル３４に設けた前記嵌合溝３２の幅Ｗよりも狭いリブ４０で挟み込み、水栓カバー３１の裏側より複数のネジ３５ａにより、水栓カバー３１と操作パネル３４を挟持して固定している（図２）。
【００２５】
また、連結管３０上方には横から取り付けられたネジ３５ｂにより操作パネル３４が固定されている。
【００２６】
図６に操作パネル３４に取り付けられる継ぎ手４２の詳細を示しているが、継ぎ手４２は、操作パネル３４に設けられた貫通穴４３にパッキン４４を介して止め輪４５により取り付けられている。この継ぎ手４２は、前記水栓カバー３１に組み込む前に取り付けられたＯリング等のシール部材４６を介して一端を連結管３０に接続し、さらに、他端はシール部材４８を介して浄水口１７につながる回動可能なパイプ４７に接続している。パイプ４７は固定ナット５０の締め付けにより、抜け止め溝部５１とパイプ抜け止め４９の作用で取付けられる。
【００２７】
図７に示すように、連結管３０は、リード線５５に取付けられたコネクター５７を通す孔５６ｂを有するものである。コネクター５７は、図２に示す浄水給湯栓ユニット３内に設けられた、スイッチ５３を有する操作基板５４と結線する。孔５６ｂは水栓支柱部２９の孔５６ａと対応している。
【００２８】
また、リード線貫通後の隙間（孔５６ａ、ｂ）を覆う覆い部材６２が連結管３０とは別に設けられている。この覆い部材６２には、リード線５５を巻き付けて固定するボスよりなる部材６３を設けている。なお、部材６３は覆い部材６２に限らず、これに代えて他の適宜な箇所に設けてもよいものである。
【００２９】
なお、図７は水栓支柱部２９と水栓カバー３１の組み立て後に、連結管３０のセット状況を示しているもので、連結管３０のセット状況詳細をわかりやすく説明するために意図して水栓支柱部２９と水栓カバー３１を省略している。
【００３０】
連結管３０の組み立ては、リード線５５及び蒸気配管２５を水栓支柱部２９の孔５６ａ及び連結管３０に設けられた孔５６ｂを貫通させる。リード線５５の先端には、コネクター５７が取り付けられているが、前記孔５６ａ、孔５６ｂはコネクター５７の大きさよりも大きく略同形状に設定している。従って、組み立て時はリード線５５を先に前記孔５６ａ、５６ｂを通過させた後、蒸気配管２５を通過させ組み立てる設定にしている。蒸気パイプ５８は蒸気口２２に蒸気配管２５を接続するもので、前記蒸気配管２５との接続は、蒸気配管２５の先端に取り付けられ、孔５６ｂより部分的に大きい鍔部５９を有する蒸気口連続管６０により、Ｌ形状のパッキン６１を介して行われている。
【００３１】
また、覆い部材６２は、リード線５５と蒸気配管２５を孔５６ａ、５６ｂに通過させた後にできる隙間を覆うことができる形状としている。また、覆い部材６２は蒸気口連続管６０の鍔部５９を上方に移動しないように、抑え部７０が設定されている。さらに覆い部材６２はパッキン６１の抜け止め防止用のストッパー部７１を設けている。
【００３２】
図８は、操作パネル３４のボタン５２を示している。このボタン５２は、水栓カバー３１と操作パネル３４の中に設置されている操作基板５４上のスイッチ５３を作動可能に配置されているものである。
【００３３】
図９は、浄水給湯栓ユニット３の施工時の状態を示し、６５ａ、６５ｂ、６５ｃは、それぞれ浄水配管２３、給湯配管２４、蒸気配管２５との接続部、６６はリード線５５と給湯装置６４の結線コネクターである。
【００３４】
以上の構成において、給湯装置６４の施工は、シンクキャビネット１内に設置された給湯ユニット２、浄水ユニット４の浄水配管２３、出湯配管２４、蒸気配管２５、リード線５５を開口部２７に通した後に、開口部２７に固定された取付台２６へ水栓支柱部２９を取付け止めネジ２８により固定し、浄水給湯栓ユニット３と接続している。
【００３５】
このとき、浄水配管２３、出湯配管２４、蒸気配管２５、リード線５５は、引っ張られるが、浄水配管２３、出湯配管２４は水栓支柱部２９と連結管３０で、蒸気配管２５は連結管３０と覆い部材６２によりそれぞれ挟持されて固定されているため、それぞれの浄水給湯栓ユニット３内の接続が外れてしまうことを防止することができる。また、リード線５５は、覆い部材６２の部材６３に巻き付けて固定した後に、操作基板５４にコネクター５７で結線されているため、結線部に負荷が加わることを防止することができる。また水栓カバー３１は水栓支柱部２９と連結管３０で挟持されているために、浄水給湯栓ユニット３の先端部を押したときの強度を向上させている。
【００３６】
浄水給湯栓ユニット３を設置後、浄水配管２３、出湯配管２４、蒸気配管２５はそれぞれ給湯ユニット２と、接続部６５ａ、接続部６５ｂ、接続部６５ｃにより接続される。また、リード線５５は、結線コネクター６６により結線され、給湯装置６４の設置は完了される。
【００３７】
シンク２１の近傍に設置される浄水給湯栓ユニット３は水がかかったときに、水栓カバー３１と操作基板５４は弾性部材３３、操作パネル３４と継ぎ手４２はパッキン４４、水栓カバー３１と出湯口２０及び蒸気口２２はシールパッキン６９により浄水給湯栓ユニット３の内部に水が侵入しないように密閉構造になっている。
【００３８】
上記の構成により、弾性部材３３とパッキン４４は、浄水給湯栓ユニット３の上方からの水侵入阻止によい効果を示し、また、シールパッキン６９は出湯口２０から、浄水されたお湯が吐出している時に同時に発生する蒸気の侵入を防止するのに有効である。
【００３９】
また、弾性部材３３を中空部材にすることにより、弾性部材３３の反発力を抑制することが可能であるため、水栓カバー３１と操作パネル３４をネジ３５ａにより組み立てた時の両者の隙間を低減させ、見栄えを向上させることができる。
【００４０】
浄水給湯栓ユニット３内の水栓カバー３１内では、連結管３０と覆い部材６２によりリード線５５及び蒸気配管２５を貫通後の隙間を覆っているため、出湯口２０付近にゴキブリ等の害虫の進入を防止することができ、衛生的に好ましい。
【００４１】
また、覆い部材６２はリード線５５を固定する部材６３を設置しているため、部品点数を削減することにより、浄水給湯栓ユニット３のコンパクト化を図ることができる。さらに、浄水給湯栓ユニット３に設けたパイプ４７は、浄水口１７をシンク２１内で回動させ浄水を吐出する位置を選択することが可能となり、使い勝手を向上させることができる。なお、パイプ４７は出湯口２０と接続して出湯口２０を回動可能として使い勝手を向上させることもできる。
【００４２】
【発明の効果】
上述したように、本発明の給湯装置によれば、浄水ユニットからの浄水を吐出する浄水口に連接する浄水配管と、給湯ユニットにおいて加熱された浄水を吐出する出湯口に連接する給湯配管を浄水給湯栓ユニット内に設け、かつ前記浄水配管と前記給湯配管はフランジ部を有し、このフランジ部を浄水給湯栓ユニット内で挟持固定したものであるため、配管の接続部の確実な密閉性と取付け時の強度を維持しかつコンパクトで容易に組み立て可能となるものである。
【図面の簡単な説明】
【図１】本発明の実施例における給湯装置の正面断面図
【図２】同給湯装置の浄水給湯栓ユニットの詳細断面図
【図３】同給湯装置の部品の組み立て状況を示した分解斜視図
【図４】同給湯装置の水栓支柱部と水栓カバーの結合部の詳細断面図
【図５】同給湯装置の水栓カバーと操作パネルの嵌合の詳細断面図
【図６】同給湯装置の水栓カバーと継ぎ手の結合部の詳細断面図
【図７】同給湯装置の連結管のセット状態を示す斜視図
【図８】同給湯装置の操作パネルの平面図
【図９】同給湯装置の浄水給湯ユニット施工時の状態を示す斜視図
【図１０】従来のシンクキャビネットに組み込まれる浄水器の正面断面図
【符号の説明】
１  シンクキャビネット
２  給湯ユニット
３  浄水給湯栓ユニット
４  浄水ユニット
５  湯沸かしユニット
１０  制御装置
１７  浄水口
２０  出湯口
２３  浄水配管
２４  給湯配管
２９  水栓支柱部
３０  連結管
３１  水栓カバー
３２  嵌合溝
３３  弾性部材
３４  操作パネル
４０  リブ
４２  継ぎ手
４６  シール部材
４７  パイプ
５２  ボタン
５３  スイッチ
５４  操作基板
５５  リード線
５６ａ、５６ｂ  孔
５７  コネクター
６２  覆い部材
６３  部材
６４  給湯装置
【図１】
0003719228.tif 000002
【図２】
0003719228.tif 000003
【図３】
0003719228.tif 000004
【図４】
0003719228.tif 000005
【図５】
0003719228.tif 000006
【図６】
0003719228.tif 000007
【図７】
0003719228.tif 000008
【図８】
0003719228.tif 000009
【図９】
0003719228.tif 000010
【図１０】
0003719228.tif 000011